(57)【要約】本発明は、ポリマーを含み、表面を洗浄するのに適切な固体又は増粘された組成物であって、前記組成物が、前記表面の疎水性を増大させて、少なくとも５回のすすぎ−乾燥サイクルの間、３０°〜５５°の水と前記表面との間の接触角を提供することができる。【特許請求の範囲】
【請求項１】
ポリマーを含み、表面を洗浄するのに適切な固体又は増粘された組成物であって、前記組成物が、前記表面の疎水性を増大させて、少なくとも５回のすすぎ−乾燥サイクルの間、３０°〜５５°の水と前記表面との間の接触角を提供することができる当該組成物。
【請求項２】
前記組成物が、漂白剤、好ましくは、活性酸素源、次亜ハロゲン酸塩漂白剤及びこれらの混合物から成る群から選択される漂白剤を更に含む請求項１に記載の組成物。
【請求項３】
前記漂白剤が、活性酸素源又はこれらの混合物である請求項１又は２に記載の組成物。
【請求項４】
前記組成物が、前記組成物全体の０．１重量％〜３０重量％の前記漂白剤を含む請求項１〜３のいずれか１項に記載の組成物。
【請求項５】
前記組成物が前記表面の疎水性を増大させて、３０°〜５０°の水と前記表面との間の接触角を提供することができる請求項１〜４のいずれか１項に記載の組成物。
【請求項６】
水と前記表面との間の前記接触角が、少なくとも１５回のすすぎ−乾燥サイクルの間、保持される請求項１〜５のいずれか１項に記載の組成物。
【請求項７】
前記ポリマーが、汚れ付着防止ポリマーである請求項１〜６のいずれか１項に記載の組成物。
【請求項８】
前記ポリマーが、直鎖又はグラフトシリコーングリコールポリマーである請求項１〜７のいずれか１項に記載の組成物。
【請求項９】
前記ポリマーが、下式：
【化１】
2004530007.tif 000013
（式中各Ｒ1は、独立して、Ｈ又は炭化水素基であり；Ｒ2は、ポリエーテル官能基を生じる基であり；ｎは、０〜５００の整数であり；前記グラフト構造では、ｍは０〜３００の整数であり、好ましくはｎ＋ｍは１より大きい）の直鎖又はグラフトシリコーングリコールポリマーである請求項１〜８のいずれか１項に記載の組成物。
【請求項１０】
ポリマーを含み、表面を洗浄するのに適切な固体又は増粘された組成物であって、前記ポリマーが、請求項９の直鎖又はグラフトシリコーングリコールポリマーである当該組成物。
【請求項１１】
前記組成物が、前記組成物全体の５０重量％までの前記シリコーングリコールを含む請求項１〜１０のいずれか１項に記載の組成物。
【請求項１２】
前記組成物が、４ｃｍのスピンドルを用いて２０℃でＣＳＬ2  １００（登録商標）レオメータで測定される場合、２０℃で２ｃｐｓ以上の、更に好ましくは２〜５０００ｃｐｓの、更により好ましくは２〜５００ｃｐｓの粘度を有する増粘された組成物である請求項１〜１１のいずれか１項に記載の組成物。
【請求項１３】
前記組成物が、増粘剤又は増粘系を更に含む請求項１２に記載の増粘された組成物。
【請求項１４】
前記組成物が酸性である請求項１２又は１３のいずれか１項に記載の増粘された組成物。
【請求項１５】
ポリマーを含み、表面を洗浄するのに適切な固体又は増粘された組成物を塗布する段階を含む、前記表面の疎水性を増大させて、少なくとも５回のすすぎ−乾燥サイクルの間、３０°〜５５°の水と前記表面との間の接触角を提供する方法。
【請求項１６】
ポリマーを含む固体又は増粘された組成物で表面を洗浄する方法であって、前記組成物が、前記表面の疎水性を増大させて、少なくとも５回のすすぎ−乾燥サイクルの間、３０°〜５５°の水と前記表面との間の接触角を提供し、前記方法が、前記組成物を前記表面に塗布する段階を含む当該方法。
【請求項１７】
表面を洗浄するためのポリマーを含む組成物の使用であって、前記組成物が、前記表面の疎水性を増大させて、少なくとも５回のすすぎ−乾燥サイクルの間、３０°〜５５°の水と前記表面との間の接触角を提供することができ、それにより、汚れ付着防止効果を提供する当該使用。
【請求項１８】
表面を洗浄するためのポリマーを含む組成物の使用であって、前記組成物が、前記表面の疎水性を増大させて、少なくとも５回のすすぎ−乾燥サイクルの間、３０°〜５５°の水と前記表面との間の接触角を提供することができ、それにより、石灰質スケール及び／又は鉱物外被の堆積防止効果を提供する当該使用。
【請求項１９】
表面を洗浄するためのポリマーを含む組成物の使用であって、前記組成物が、前記表面の疎水性を増大させて、少なくとも５回のすすぎ−乾燥サイクルの間、３０°〜５５°の水と前記表面との間の接触角を提供することができ、それにより、糞便固着防止及び／又は細菌付着の減少効果を提供する当該使用。
【発明の詳細な説明】
【技術分野】
【０００１】
本発明は、組成物に関し、更に詳細には、ポリマーを含み、表面洗浄用の固体又は増粘された組成物に関し、前記組成物は、前記表面の疎水性を増大させることができる。前記組成物は、便器などを含む硬質表面の洗浄に特に適切である。
【背景技術】
【０００２】
多数の様々な洗浄組成物が当該技術分野において記載されている。事実、硬質表面、特に浴室に見られる硬質表面、例えば衛生備品（例えば便器）、浴室タイルなどを洗浄するための組成物は、当該技術分野において既知である。
【０００３】
当該技術分野で既知の組成物の例には、ビニルピロリドンのホモポリマー又はコポリマー、若しくはそれらの混合物、多糖類ポリマー、又はそれらの混合物、陰イオン性界面活性剤、及び酸を含む浴室表面の洗浄に適切な液体の酸性洗浄組成物（ＥＰ−Ａ−０９５７１５６）、又はスルホネート塩界面活性剤及び四級アンモニウム界面活性剤を含む液体の増粘された便器洗浄組成物（ＥＰ−Ａ−０８３２９６４）、又は硫酸及び特定のキレート剤を含む酸性便器洗浄組成物（ＥＰ−Ａ−０７２９９０１）などが挙げられる。
【０００４】
現在既知の組成物は、それらで処理される表面に付与される特性であって、特に汚れ付着防止に関して、詳細には石灰質スケールの堆積防止に関して、消費者の観点から十分に満足の行くものではない。事実、消費者は、最初にそれで処理される表面が、石灰質スケール、鉱物外被のなどの汚れをより付着しにくくする洗浄組成物を期待している。特に、洗浄組成物で処理される表面に付与されるより長く持続する汚れ付着防止特性が更に改善されてもよい。
【０００５】
事実、一般に浴室で見られる表面、及び特に便器表面は、洗浄操作間に多数回のすすぎおよび乾燥サイクルを必要とする。例えば、４人世帯では、１週間に約１２０回トイレの水を流し、その結果、１２０回のすすぎ−乾燥サイクルが生じる。各すすぎ−乾燥サイクルの間に、すすがれる表面において幾分かの硬水の使用による石灰質スケールの沈着が起こる可能性がある。これは、このようなすすぎ−乾燥サイクルを経る表面に、相当の石灰質スケール及び／又は鉱物外被が堆積するという結果に至る。この結果、表面光沢が失われることにもなる。更に、糞便、バイオフィルム（細菌、真菌、及び藻類など）、石鹸かすなどの汚れが、洗浄操作間に、前記浴室表面に沈着する可能性がある。
【発明の開示】
【発明が解決しようとする課題】
【０００６】
従って、本発明の目的は、表面洗浄用の組成物を提供することであり、前記組成物は、それを用いて、更に長時間にわたり表面に汚れがより付着しにくくする。
【０００７】
今般、上記目的は本発明の組成物により達成できることが判明した。
【０００８】
本発明の利点の１つは、本発明の組成物が、それで処理される表面からの汚れの除去を容易にすることにより、次回の洗浄効果をも提供することである。
【０００９】
有利なことには本明細書に記載される組成物は、塗装セラミックタイル、非塗装セラミックタイル、エナメル、ステンレススチール、イノックス（Inox）（登録商標）、フォーマイカ（Formica）（登録商標）、ビニール、ノーワックスビニール、リノリウム、メラミン、ガラス、プラスチック及びプラスチック木材のような様々な材料で構成される表面の洗浄に使用することができる。
【００１０】
本発明のさらなる利点は、本発明の組成物が、この組成物によって洗浄された表面に光沢を提供できることにある。
【００１１】
以下の文書は、表面改質組成物について利用可能な従来技術の代表的なものである。
【００１２】
ＥＰ−Ａ−０９５７１５６は、ビニルピロリドンのホモポリマー若しくはコポリマー、若しくはそれらの混合物、多糖類ポリマー、又はそれらの混合物、陰イオン性界面活性剤、及び酸を含む浴室表面の洗浄に適切な酸性洗浄組成物を開示している。
【００１３】
ＰＣＴ国際公開特許ＷＯ９７／３６９６７は、基材の表面に２ｐｐｍ未満の有機官能性シランを有する溶液を塗布する段階と、前記表面が疎水性の増大を示すまで塗布を繰り返す段階とを含む、基材の表面に疎水性を付与する方法を開示している。
【００１４】
該出願者の同時係属出願ＰＣＴ／ＵＳ９９／２５９１２（代理人整理番号ＣＭ２１４７Ｍ）は、表面強化ポリマーを含む、表面の洗浄に適切な洗浄組成物を開示しており、前記ポリマーは、表面が親水性になるように表面を改質し、５０°未満の水と表面との間の接触角を提供することができる。
【課題を解決するための手段】
【００１５】
本発明は、ポリマーを含み、表面を洗浄するのに適切な固体又は増粘された組成物であって、前記組成物が、前記表面の疎水性を増大させて、少なくとも５回のすすぎ−乾燥サイクルの間、３０°〜５５°の水と前記表面との間の接触角を提供することができる。
【００１６】
好ましい実施形態では、前記ポリマーは、汚れ付着防止ポリマー、好ましくはシリコーングリコールである。
【００１７】
本発明はまた、ポリマーを含み、表面を洗浄するのに適切な固体又は増粘された組成物であって、前記組成物が、前記表面の疎水性を増大させて、少なくとも５回のすすぎ−乾燥サイクルの間、３０°〜５５°の水と前記表面との間の接触角を提供することができることを包含する。
【発明を実施するための最良の形態】
【００１８】
（表面特性）
本発明の組成物は、それで洗浄される表面の表面特性を改質するのに適切である。本発明の組成物で洗浄される前の表面は、最初は、幾分親水性又は疎水性である。所定の表面の親水性／疎水性の表面特性、これは、組成物の塗布（洗浄）前及び／又は後を意味し、溶媒と前記表面との接触角の測定により評価できる。表面間の親水性／疎水性の相互作用の一般的な原則、及び接触角と親水性／疎水性の表面特性との間の関係は、Ｃ．ミラー（C.Miller）及びＰ．ネオギ（P.Neogi）による「界面現象：平衡及び動的効果」（５４〜９０ページ、Ｍ．デカー社（M.Deker Inc.）、１９８７年）に見出すことができる。
【００１９】
前記に概略を述べるように、所定の表面の親水性／疎水性特性は、溶媒と前記表面との間の接触角を測定することにより評価される。本発明では、所定の表面の親水性／疎水性特性を評価するのに使用される溶媒は、脱イオン水である。接触角の測定は、例えば、データフィジクス（登録商標）光学接触角（「ＯＣＡ」）機器（ＯＣＡ２０（登録商標））を使用して行われる。ＯＣＡは、表面における水などの溶媒の接触角θを測定する。水が溶媒として使用される場合、前記接触角が大きいほど、表面は疎水性が大きい。
【００２０】
本明細書で以下に概略を述べる全ての接触角測定は、次の試験方法を使用して行われる：
水に対する標準黒色光沢タイル（セニオ（SENIO）（登録商標））又は白色陶器タイル（ヴァルム（VALM）（登録商標））の静的接触角は、データフィジクス光学接触角（ＯＣＡ）機器を使用し、静滴法によって測定されるが、タイルは、光源の正面に上向きに水平な位置に置かれる。電動式の投薬装置は、所定の時間に、試験される表面に１０μｌの水を送達する。表面の液滴の形状画像をＣＣＤ（デジタル）カメラで撮影する。その後、この画像から、ＳＣＡ（接触角測定用ソフトウェア）ソフトウェアを使用し、静滴法に従って静的接触角を計算する。
【００２１】
所定の組成物によりタイルに提供され、生じる接触角は、前記組成物を前記タイルに塗布し、１５分間の接触時間の後、１２リットルの水道水を使用してタイルの表面から組成物を最初にすすぎ落とすことにより測定される。タイルを乾燥させ、（１２リットルの水道水を使用して）すすぎ、特定の回数（例えば、少なくとも５回のすすぎ−乾燥サイクルが必要な場合、少なくとも５回）乾燥させた後、光源の正面に上向きに水平な位置に置かれる。電動式の投薬装置は、所定の時間に、試験される表面に１０μｌの水を送達する。表面の液滴の形状の画像をＣＣＤ（デジタル）カメラで撮影する。その後、この画像から、ＳＣＡ（接触角測定用ソフトウェア）ソフトウェアを使用し、静滴法に従って静的接触角を計算する。
【００２２】
本発明の組成物は、表面を洗浄するのに適切である。いかなる汚れ易い種類の表面も本明細書の組成物で洗浄することが可能である。本明細書の表面は、好ましくは硬質表面、より好ましくはキッチン、浴室のような屋内、又は車の内装又は外装に典型的に見られる硬質表面、例えば、セラミック、エナメル、ビニール、ノーワックスビニール、リノリウム、メラミン、ガラス、イノックス（登録商標）、フォーマイカ（登録商標）、あらゆるプラスチック、プラスチック木材、金属、又はあらゆる塗装面若しくはワニスを塗った面若しくはシール面のような種々の材料で製造された、床、壁、タイル、窓、食器棚、流し、シャワー、シャワープラスチックカーテン、洗面器、便器、小便器、固定物及び備品などである。硬質面には、冷蔵庫、冷凍庫、洗濯機、自動乾燥機、オーブン、電子レンジ、皿洗い機など家庭電気製品を含むが、これらに限定されない。更に本明細書の表面は義歯表面であってもよく、これは本明細書の組成物を義歯洗浄剤として使用してもよいことを意味する。
【００２３】
非常に好ましい実施形態では、本明細書の表面は、タイル、シンク、シャワー、洗面器、便器、小便器、浴槽、及びセラミックス、エナメル、ガラス、イノックス（登録商標）、フォーマイカ（登録商標）、又は金属などの種々の材料で作られる固定物及び備品など浴室で見られる硬質表面である。さらにより好ましくは本明細書の表面は、便器及び小便器であり、最も好ましくは便器及び小便器の内側部分である。非常に好ましい実施形態では、本明細書の表面は、磁器、セラミックス、ガラスタイルである。
【００２４】
本明細書の表面は本来、これは、本明細書の組成物の塗布の前を意味し、好ましくは「実質的に親水性の表面」である。「実質的に親水性の表面」は、表面が５５°未満の、好ましくは０°〜４０°の、更に好ましくは１０°〜３０°の接触角を有することを意味する。
【００２５】
本明細書で洗浄される適切なセラミック表面（便器又は小便器内で見ることができる）は、１０°〜３０°の接触角を有する。浴室表面に対する典型的な水の接触角は、磁器表面では２７°、及び黒色光沢セラミックタイルでは１４°である。
【００２６】
（表面特性の改質）
本明細書の組成物は、前記組成物で洗浄される表面の疎水性を増大させて、少なくとも５回のすすぎ−乾燥サイクルの間、３０°〜５５°の水と前記表面との間の接触角を提供することができる。
【００２７】
好ましい実施形態では、水と前記表面との間の接触角は、３０°〜５０°、更に好ましくは３０°〜４７°、最も好ましくは３５°〜４７°である。好ましくは、表面は、表面に本組成物を塗布することにより、中程度の疎水性に高められる。「中程度の疎水性」は、本明細書では、本明細書で前記に概略を述べた水と前記表面との間の接触角を生じるレベルまで、最初の親水性／疎水性が増大することを意味する。
【００２８】
別の好ましい実施形態では、水と本発明の組成物の塗布（即ち、洗浄）前の前記表面との間の接触角と、水と前記塗布後の前記表面との間の接触角との差（Δ接触角）は、５°〜３６°、好ましくは１０°〜３０°、更に好ましくは１０°〜２０°、最も好ましくは１５°〜１８°である。
【００２９】
更に別の実施形態では、水と（該製品で最初に処理した後の）前記表面との前記接触角は、少なくとも５回のすすぎ−乾燥サイクルの間、好ましくは１５回のすすぎ−乾燥サイクルの間、更に好ましくは４０回のすすぎ−乾燥サイクルの間、更により好ましくは６０回のすすぎ−乾燥サイクルの間、更に増して好ましくは８０回のすすぎ−乾燥サイクルの間、更により増して好ましくは１００回のすすぎ−乾燥サイクルの間、最も好ましくは１２０回のすすぎ−乾燥サイクルの間、保持される。表面改質は、長時間にわたり有効であることが好ましい。「長時間」は、本明細書では、本明細書で前記に概略を述べたすすぎ−乾燥サイクルが起こるのに必要な時間を意味する。
【００３０】
「すすぎ−乾燥サイクル」は、本明細書では、液体、好ましくは水、更に好ましくは水道水で本明細書の表面をすすぐこと、及びすすぎ段階後の前記表面の乾燥を意味する。すすぎ−乾燥サイクルの間、本明細書の表面は実質的に乾燥する、これは、例えば（例えば、傾斜した表面では）前記表面から流出する又は（例えば、傾斜した又は水平な表面では）前記表面から蒸発することにより、前記液体が表面から実質的に完全に除去されることを意味する。しかし所定の状況では、表面が完全に乾燥する前に次のすすぎ段階が行われるということが起こる可能性がある。これは本発明の性能を変えない。前述の試験方法では、タイルは１２リットルの水道水を使用してすすがれる。
【００３１】
前述の典型的なすすぎ−乾燥サイクルは、例えばトイレ若しくは小便器の水洗、又は浴室タイル、シンク、シャワー室、及び浴槽などのすすぎである。
【００３２】
所定の組成物及び所定の量のすすぎ−乾燥サイクルで洗浄した後の、所定の表面の接触角は、次の試験方法を使用して評価することができる：
該製品で処理された又は処理されていない、１２０回までのすすぎ−乾燥サイクルに暴露された黒色光沢タイルの水に対する静的接触角は、データフィジクス光学接触角（ＯＣＡ）機器を使用する静滴法によって測定される。乾燥した表面は、光源の正面に上向きに水平な位置に置かれる。電動式の投薬装置は、所定の時間に試験される表面に１０μｌの水を送達する。表面の液滴の形状画像を高解像度ＣＣＤ（デジタル）カメラで撮影する。その後、この画像から、ＳＣＡソフトウェアを使用し、静滴法に従って静的接触角を計算する。
【００３３】
表面の疎水性を増大させて、３０°〜５５°の水と前記表面との間の接触角を提供することができ、長時間にわたり、即ち少なくとも５回のすすぎ−乾燥サイクルの間、前記接触角を維持することにより、前記表面は長時間にわたり、汚れがより付着しにくくなる（「汚れ付着防止効果」）ことが、現在分かっている。特に、石灰質スケール及び鉱物外被などの付着及び／又は堆積は、顕著に減少するか、又は長時間にわたり防止される（「石灰質スケールの堆積防止効果」；「鉱物外被の堆積防止効果」）。事実、表面及び好ましくは一般に浴室で見られる表面、及び特に便器表面は、洗浄操作間に多数のすすぎ及び乾燥サイクルを経る。例えば、４人世帯では、１週間に約１２０回トイレの水を流し、その結果、１２０回のすすぎ−乾燥サイクルが生じることになるか、又は浴槽若しくはシャワーで見られるタイルは、浴槽／シャワーを使用した後、毎回すすがれるが、その結果、４人世帯では、これは、３０回までのすすぎ−乾燥サイクルを生じる可能性がある。各すすぎ−乾燥サイクルの間、すすがれる表面で、多少の硬水を使用することによる、石灰質スケール及び／又は鉱外被などの沈着が起こる可能性がある。これは、このようなすすぎ−乾燥サイクルを経る表面に、相当の石灰質スケール及び／又は鉱物外被が堆積する結果となる。更に、糞便、バイオフィルム（細菌、真菌、及び藻類など）、石鹸かすなどの汚れが、洗浄操作間に、前記浴室表面に沈着する可能性がある。
【００３４】
理論によって裏付けられることは望まないが、前述のようにポリマーを含む組成物が、３０°〜５５°の水と前記表面との間の接触角を保持でき、前記組成物で洗浄される表面で長時間にわたり、前記接触角を維持することを出願者が見出したことは驚くべきことである。３０°〜５５°の水と前記接触角を有する（疎水性が増大した）表面における汚れ付着、好ましくは石灰質スケール及び／又は鉱物外被の付着の減少は、本発明により達成される中程度の疎水性改質（３０°〜５５°の接触角）では、石灰質スケール又は水を媒体とする汚れを含有する水滴は、表面に強力に付着せず、尾部が引込む状態で落ち、完全に水が排水するため、石灰質スケール又は水を媒体とする汚れが表面に固着しないということによるものである。より高程度の疎水化では、浸水した表面は液滴を後に残し、数回のすすぎ及び乾燥サイクルの後、光沢が少なく見える。
【００３５】
前述の効果は、好ましくは、ポリマーが前記表面に沈着することによる。
更に、本発明の組成物で洗浄される表面で起こる多数のすすぎ段階により、洗浄段階の後、最初の１回の表面特性の改質、即ち表面をより疎水性にすることだけでは、十分でないことが分かった。事実、表面改質が長時間にわたり維持されることが、本発明の本質的な要素である。それにより、汚れの付着、好ましくは石灰質スケール及び／又は鉱物外被の付着の防止は、２回の洗浄操作の間、防止される。事実、このような洗浄操作は、通常は、本明細書に記載される各すすぎ−乾燥サイクルの後ではなく、数回のすすぎ−乾燥サイクルの後（２、３日に１回、又は週に１回など）、行われる。しかし、例えば、便器及び／又はトイレの水タンクにリムブロック（ｒｉｍ  ｂｌｏｃｋ）を入れることにより組成物を恒常的に塗布する場合、本明細書の表面の恒常的な暴露も可能である。
【００３６】
一般的な汚れ付着防止効果、並びに、特に、所定の量のすすぎ−乾燥サイクルでの所定の組成物の石灰質スケール及び／又は鉱物外被の堆積防止効果を、次の試験方法を使用して評価することができる：
セラミックスタイル（２０×２０ｃｍ）を５ｍｌの本製品で均一に被覆する。１５分後、タイルを水道水で（１２リットルの水道水で）すすぐ（１分間）：カーテン水（ｃｕｒｔａｉｎ  ｗａｔｅｒ）排水効果が観察され、５秒後表面に水は残らない。タイルを垂直な位置に置いたままにし、水道水でのすすぎ（１５秒）を３０分ごとに繰り返す。同じ回数のすすぎ／乾燥サイクルを経た未処理のタイルに対して、又は未使用のタイルに対して結果を評価する。試験される表面は、白色又は色つきのものとすることができ、色つきのものが好ましい。前記組成物の石灰質スケール及び／又は鉱物外被の堆積防止効果を視覚的等級付けで評価することができる。パネルスコア化単位（ＰＳＵ）を使用し、専門家のパネリストグループによって視覚的等級付けが行われてもよい。所定の組成物の石灰質スケール及び／又は鉱物外被の堆積防止効果を評価するため、処理されたタイル対未処理のタイルの石灰質スケール及び／又は鉱物外被の堆積において顕著な差がないことを意味する０から、処理されたタイル対未処理のタイルの石灰質スケール及び／又は鉱物外被の堆積において明らかに顕著な差があることを意味する６までのＰＳＵ尺度を適用することができる。
【００３７】
（組成物）
本発明の組成物は、増粘された組成物又は固体組成物のいずれかとして配合される。
本明細書の組成物が固体組成物である好ましい実施形態では、組成物は、粒剤のような、圧縮された顆粒及び／又は粉末（例えば錠剤）、及び押出された固体組成物などの粉末の形態であってもよい。好ましくは本明細書の固体組成物は、便器又は小便器用のリムブロック又は水槽内デバイスのような錠剤の形態であり、好ましくは便器若しくは小便器内に直接入れられるか、水洗便器若しくは小便器の水洗用タンク中か浴室用機械洗浄装置に入れられる。
【００３８】
本明細書の組成物が増粘された組成物である、好ましい実施形態では、本明細書の組成物はゲルの形態であってもよいし、又はペースト状組成物の形態であってもよい。好ましくは、本明細書の増粘された組成物は、液体の増粘された組成物である。本発明の好ましい増粘された組成物は、カリメッド（Carri-Med）レオメーターモデルＣＳＬ2  １００（登録商標）（ＴＡインスツルメンツから供給される）でステンレススチール（steal）の４ｃｍ円錐スピンドル（最大８分間で１〜７０秒-1の線形増加）を用いて２０℃で測定される場合、２ｃｐｓ以上、より好ましくは２〜５０００ｃｐｓ、さらにより好ましくは１０〜２５００ｃｐｓの粘度を有する。
【００３９】
最も好ましい増粘された組成物は、固有ずり減粘（shear thinning）属性を有する。最も好ましくは、粘度は１０秒-1で１００〜５００ｃｐｓ、３０秒-1で５０〜４００ｃｐｓ及び７００秒-1で１０〜５０ｃｐｓの範囲であるべきである。
【００４０】
このような好ましい粘度では、本明細書の増粘された組成物は、洗浄される表面上での組成物の良好な分配、並びにその洗浄操作の間に表面に付着するのに十分な前記表面への接着性も示す。更に、洗浄後に表面から組成物をすすぎ落とすのにも有利である。
【００４１】
本明細書の増粘された組成物は、洗浄される表面に塗布される場合、十分に親水性であり、前記表面上での良好な分布（この表面が水で覆われる場合でも）、及び容易なすすぎ性（ｒｉｎｓａｂｉｌｉｔｙ）を確実にする。本明細書の組成物それ自体の親水性特性は、洗浄される表面に増加した疎水性を提供する効果と混同されるべきではない。
【００４２】
本明細書の組成物自体の親水性は、洗浄される表面に付着している間に、即ち前記組成物のすすぎ落とし前に次の試験方法を使用して評価されてもよい：
洗浄される表面に塗布される組成物の接触角の測定は、前記表面からの前記組成物のすすぎ落としを回避するため、増粘された組成物と混合しない溶媒を使用して行われなければならないと述べられる。従って、水をベースにした組成物では、ジヨードメタンなどの無極性溶媒が使用される。
【００４３】
ジヨードメタンに対する表面上の製品の静的接触角は、データフィジクス光学接触角（ＯＣＡ）機器を使用し、静滴法によって測定される。製品は白色の磁器タイルに塗布され、１５分の接触時間後、測定される表面は、光源の正面に上向きに水平な位置に置かれる。電動式の投薬装置は、所定の時間に試験される表面に１０μｌのジヨードメタンを送達する。表面の液滴の形状の画像を高解像度ＣＣＤ（デジタル）カメラで撮影する。その後、この画像から、ＳＣＡソフトウェアを使用し、静滴法に従って静的接触角を計算する。
【００４４】
本発明の好ましい実施形態では、本明細書の増粘された水性組成物は、ジヨードメタンと前記組成物で被覆された前記表面との間の接触角が、２０°〜４５°、好ましくは２０°〜４０°、更に好ましくは２０°〜３０°、最も好ましくは２５°〜３０°である。
【００４５】
本明細書の好ましい増粘された組成物は水性組成物であり、そのため好ましくは水を含み、より好ましくは組成物全体の２０重量％〜９９重量％、さらにより好ましくは７５重量％〜９７重量％、最も好ましくは８０重量％〜９７重量％の量の水を含む。
【００４６】
本発明の増粘された組成物のｐＨは通常、０〜１４であってよい。好ましくは、本明細書の増粘された組成物のｐＨは２５℃で測定される場合、少なくとも０．１、０．１５、０．２、０．２５、０．３、又は０．４であって、これらのうち数値の高いものほど好ましい。それとは無関係に本明細書の増粘された組成物のｐＨは、２５℃で測定される場合、好ましくは大きくとも１４、１３、１２、１１、１０、９、８、７、６、６、５、４．５、４、３．５、３、２．５、２、１．７５、１．５、１．２５、１、０．７５、０．５、０．４５又は０．４であり、これらのうち数値の低いものほど好ましい。
【００４７】
水で１％に希釈した本発明の固体組成物のｐＨは、典型的には、０から１４であってもよい。本明細書の固体組成物のｐＨは、２５℃で測定される場合、少なくとも０、１、２、３、４、５、６、７であって、これらのうち数値の高いものほど好ましい。それとは無関係に、本明細書の固体組成物のｐＨは、２５℃で測定される場合、好ましくは大きくとも１４、１３、１２、１１、１０、９又は８であって、これらのうち数値の低いものほど好ましい。
【００４８】
従って、本明細書の組成物は適宜ｐＨを調整するための酸又は塩基を更に含んでもよい。本明細書の組成物は、更に酸を含むことが好ましい。
酸性度は更に、良好な石灰質スケール除去性能を示すとともに良好な消毒特性を示すような本発明の組成物を配合するのに役立つ。それ故に本発明の組成物は、有機及び／又は無機酸を含んでいてもよい。本明細書に使用されるのに特に適切な有機酸は、メタンスルホン酸のようなアリール及び／又はアルキルスルホネート、クエン酸、コハク酸、スルファミン酸、及びマレイン酸などである。特に適切な無機酸は、硫酸、リン酸、及び硝酸などである。
【００４９】
このような酸が存在する場合、その典型的な濃度は、組成物全体の０．０１重量％〜１５重量％、好ましくは１重量％〜１０重量％、より好ましくは２重量％〜７重量％である。
【００５０】
（ポリマー）
本明細書の組成物はポリマーを含む。
本発明の好ましい実施形態では、前記ポリマーは、洗浄される表面に、前述のように長時間、増大した疎水性を提供する。好ましくは、前記ポリマーは汚れ付着防止ポリマーであり、更に好ましくは、前記ポリマーは石灰質スケール及び／又は鉱物外被の堆積防止ポリマーであり、最も好ましくは、前記ポリマーは石灰質スケールの堆積防止ポリマーである。
【００５１】
洗浄される表面に増大した疎水性を、前述のように長時間提供する、好ましくは前述のように長時間、石灰質スケール及び／又は鉱物外被の堆積防止特性を有する任意のポリマーを、本発明の組成物に使用することができる。
【００５２】
本明細書の組成物は、好ましくは組成物全体の５０重量％まで、更に好ましくは１重量％〜２０重量％、更により好ましくは０．０１重量％〜１０重量％、最も好ましくは０．０１重量％〜５重量％の前記ポリマーを含む。
【００５３】
本明細書で使用するのに適切なポリマーは、シリコーングリコールポリマーである。シリコーン−ポリエーテル鎖の相対的な位置関係によって、ポリマーは直鎖又はグラフトとなり得る。
【００５４】
前記ポリマーは、次の式：
【００５５】
【化１】
2004530007.tif 000002
（式中：各Ｒ1は、独立して、Ｈ又は炭化水素基であり；Ｒ2は、ポリエーテル官能基を生じる基であり；ｎは、０〜５００の整数であり；前記グラフト構造では、ｍは０〜３００の整数であり、好ましくはｎ＋ｍは１より大きい）のシリコーングリコールであることが好ましい。
【００５６】
本明細書の極めて好ましい実施形態において、本明細書のポリマーはグラフトシリコーングリコールである。
【００５７】
各Ｒ1は好ましくは独立してＨ又は１〜１６個の炭素原子を含む炭化水素鎖基、より好ましくは１〜１２個の炭素原子を含む炭化水素鎖基であり、さらにより好ましくはＲ1はＣＨ3−基である。Ｒ1はＮＨ2基及び／又は四級アンモニウムを含有することもできる。
【００５８】
好ましくはｎは０〜１００の整数、より好ましくは１〜１００の整数であり、さらにより好ましくはｎは１〜５０の整数であり、最も好ましくはｎは５〜３０の整数である。
【００５９】
好ましくは、ｍ（グラフト構造に関して）は、１〜８０の整数であり、より好ましくは、ｍは１〜３０の整数であり、さらにより好ましくは、ｍは２〜１０の整数である。好ましくは、ｎ＋ｍは１より大きい。
【００６０】
好ましくは、Ｒ2はアルコキシル化炭化水素鎖である。より好ましくは、Ｒ2は、一般式：
−Ｒ３−（Ａ）ｐ−Ｒ４又は−（Ａ）ｐ−Ｒ４
（式中：Ｒ3は炭化水素鎖であり；Ａはアルコキシ基、又はこれらの混合物であり；ｐは、１〜５０の整数であり；Ｒ4はＨ若しくは炭化水素鎖、又は−ＣＯＯＨである。）である。
【００６１】
好ましくは、Ｒ3は１〜１２個、より好ましくは、３〜１０個、さらにより好ましくは、３〜６個、最も好ましくは、３個の炭素原子を含む炭化水素鎖である。
【００６２】
好ましくは、Ａはエトキシ又はプロポキシ又はブトキシ単位、あるいはそれらの混合物であり、より好ましくは、Ａはエトキシ基である。
【００６３】
好ましくは、ｐは１〜５０の整数であり、より好ましくは、ｐは１〜３０の整数であり、さらにより好ましくは、ｐは５〜２０の整数である。
【００６４】
好ましくは、Ｒ4はＨ又は１〜１２個、より好ましくは、１〜６個、さらにより好ましくは、３〜６個、なお更に好ましくは、３個の炭素原子を含む炭化水素鎖であり、最も好ましくは、Ｒ4はＨである。
【００６５】
好ましくは、本明細書に適切なシリコーングリコールポリマーは、５００〜１００，０００、好ましくは、６００〜５０，０００、より好ましくは、１０００〜４０，０００、最も好ましくは、２，０００〜２０，０００の平均分子量を有する。
【００６６】
適切なシリコーングリコールポリマーは、ゼネラル・エレクトリック社、ダウ・コーニング社及びウィトコ社から次の商品名で市販されている：
【００６７】
【表１】
2004530007.tif 000003
本発明の極めて好ましい実施形態において、本明細書のポリマーは、ＧＥバイエルシリコーン社から商品名ＳＦ１２８８（登録商標）として市販されているシリコーン−ポリエーテルコポリマーである。
【００６８】
本組成物、好ましくは本明細書に記載のポリマーにより提供される長期の汚れ付着防止特性、好ましくは石灰質スケールの堆積防止特性の他に、このような組成物の使用、好ましくはポリマーの使用は、短時間の汚れ付着防止特性も提供する可能性があり、この場合、糞便、バイオフィルム（細菌、真菌、及び藻類など）、石鹸かすなどの種々の汚れが本発明の組成物で洗浄される表面に固着するのを防止する。長時間にわたる、表面へのこのような他のより多くの汚れの付着防止を達成するために、洗浄される表面に本明細書の組成物の恒常的な塗布が提供されなければならない。このような恒常的な塗布は、例えば、水洗便器又は小便器のすすぎ用リムブロックによって、又は水洗便器又は小便器に本明細書の増粘された組成物用の恒常的な送達系を取り付けることにより達成できる。
【００６９】
前述のように長時間、洗浄される表面に増大した疎水性を提供しない前記ポリマーを、本発明の組成物に使用することができない。表面を洗浄する組成物に使用される場合、前記表面を全く改質できない、即ち、洗浄後の表面の疎水性が全く増大しない、十分に増大しない、又は増大しすぎるこのようなポリマーの例は、例えば、キサンタンガム又は他の多糖類、ポリビニルピリジンＮ−オキシド（ＰＶＮＯ）、ポリアクリレート及び／又はフルオロポリマーである。
【００７０】
更に、前記ポリマーを含む組成物で洗浄される表面の疎水性を、遂には最初に増大させて、それによって３０°〜５５°の間の水と前記表面との間の接触角（最初のすすぎ段階後に測定される）を提供する可能性のある、種類のポリマーがある。しかし、この種類のポリマーは、ただ数回のすすぎ−乾燥サイクルの後、表面から除去される。事実、この種類のポリマーにより提供される疎水性の増大は、比較的短時間で徐々に消失し、これは、最初のすすぎ−乾燥サイクルでは、洗浄操作の後すぐに始まる。この種類のポリマーのポリマーには、ポリビニルピロリドン（ＰＶＰ）が挙げられる。
【００７１】
（方法及び使用）
本発明は、また、表面の洗浄に適切で、ポリマーを含む固体又は増粘された組成物を塗布する段階を含む、前記表面の疎水性を増大させて、少なくとも５回のすすぎ−乾燥サイクルの間、３０°〜５５°の水と前記表面との間の接触角を提供する方法を包含する。
【００７２】
更に、本発明は、ポリマーを含み、固体又は増粘された組成物で表面を洗浄する方法を包含し、この方法では、前記組成物が前記表面の疎水性を増大させて、少なくとも５回のすすぎ−乾燥サイクルの間、３０°〜５５°の水と前記表面との間の接触角を提供することができ、前記方法は、前記表面に前記組成物を塗布する段階を含む。
【００７３】
好ましくはこの表面洗浄方法は更に、前記組成物を前記表面上で作用するように残留させる段階、続いてこの組成物を前記表面からすすぎ落としによって除去する段階（例えば、便器の洗い流し）を含む。
【００７４】
表面を洗浄する前記方法において、増粘された組成物を希釈しない状態で又は希釈形態で使用してもよい。表面を洗浄する前記方法において、固体組成物を溶解形態で使用してもよい。
【００７５】
本明細書において「希釈形態」とは、前記組成物を９９％までの水で希釈できることを意味する。この希釈は、前記組成物が前記表面に適用される前、適用後又は適用中に起こり得る。
【００７６】
本明細書において「溶解形態」とは、前記固体組成物が水に溶解し得ることを意味する。この溶解は、前記組成物が前記表面に適用される前、適用後又は適用中に起こり得る。
【００７７】
更に本発明は、本明細書において上記で記載したような方法の１つに使用するための組成物の製作を包含する。
【００７８】
加えて本発明は、表面を洗浄するための、ポリマーを含む組成物の使用を包含し、この使用では、前記組成物が前記表面の疎水性を増大させて、少なくとも５回のすすぎ−乾燥サイクルの間、３０°〜５５°の水と前記表面との間の接触角を提供することができ、それにより、汚れの付着防止効果を提供することができる。
【００７９】
併せて本発明は、表面を洗浄するための、ポリマーを含む組成物の使用を包含し、この使用では、前記組成物は前記表面の疎水性を増大させて、少なくとも５回のすすぎ−乾燥サイクルの間、３０°〜５５°の水と前記表面との間の接触角を提供することができ、それにより、石灰質スケール及び／又は鉱物外被の堆積防止効果を提供することができる。
【００８０】
併せて本発明は、表面を洗浄するための、ポリマーを含む組成物の使用を包含し、この使用では、前記組成物が前記表面の疎水性を増大させて、少なくとも５回のすすぎ−乾燥サイクルの間、３０°〜５５°の水と前記表面との間の接触角を提供することができ、それにより、糞便固着防止及び／又は細菌付着減少効果を提供することができる。
【００８１】
糞便固着防止及び細菌付着減少効果は、処理された表面と、例えば、糞便、細菌などであり得る別の物質との間の摩擦の低減によるものであり、本明細書に記載されるポリマーによって提供される。
【００８２】
本明細書では、〜間の「摩擦の低減」とは、一方の材料の表面がそれ自体と隣接する表面又はもう一方の材料上を摺動する困難さが低減することを意味する。見かけの摩擦の低減は、表面への糞便、細菌、及び汚物の付着を減少させ、洗浄操作をより行い易くすることができる。
【００８３】
摩擦の低減は、本明細書では、動摩擦係数によって測定される。前述のポリマーを含む所定の組成物に対する摩擦係数は、摩擦力、対、接触する表面に垂直に作用する力（通常は重力）との比として記載される。静摩擦係数又は開始摩擦係数は、互いに相対的な表面の運動を開始するために測定される力に関する。運動摩擦係数又は摺動摩擦係数は、この運動を維持するのに測定される力に関する。
【００８４】
動摩擦係数は、スウィング−アルバート（Thwing-Albert）製（モデル１３００−３６）の引張試験機ＥＪＡ−１０００（登録商標）を使用し、ＡＳＴＭ  Ｄ  １８９４方法により評価することができる。この分析では、ソリが動き始める前に、ソリに相当の力が掛けられなければならない。この力は、引張試験機上のロードセルを使用してグラム（力）で測定される。ソリが動き始めると、これと同じ力、又はこれより小さい力を維持することにより、スピードを増大することなく、均一な運動状態にソリを保つ。運動摩擦力又は静摩擦力は、接触する表面に対して垂直な力に比例することが観測される（垂直な力＝ソリの重量）。運動摩擦係数は、引張試験機で測定される荷重（グラム（力）で表す）と、ソリの全重量（グラム（力）で表す）との比により測定される。
【００８５】
（本明細書の組成物の任意成分）
（漂白剤）
本発明の組成物は任意の成分として漂白剤を含んでよい。好ましくは、前記漂白剤は活性酸素源、次亜ハロゲン酸漂白剤、及びこれらの混合物から成る群から選択される。
漂白剤、好ましくは本発明の活性酸素源は酸化剤として作用し、一般に着色染み及び有機染みを除去し、悪臭分子を消失させ、細菌を死滅させる組成物の能力を増大させる。
本発明の好ましい実施形態において、前記漂白剤は活性酸素源又はこれらの混合物である。
【００８６】
本明細書に用いるのに適切な活性酸素源は、過硫酸塩、二過硫酸塩、過硫酸、過炭酸塩類、金属酸化物類、過ホウ酸塩類、過ケイ酸塩類及びこれらの混合物のような水溶性の過酸化水素源、更に過酸化水素、並びにこれらの混合物である。本明細書で使用される場合、過酸化水素源とは、前記化合物が水に接触すると過酸化水素を生成するあらゆる化合物のことをいう。
【００８７】
また、過酸化水素及びその供給源の代替として、又は過酸化水素及びその供給源と組み合わせて他の種類の過酸化物を使用することもできる。適切な過酸化物としてはジアルキル過酸化物類、ジアシル過酸化物類、あらかじめ調製した過カルボン酸類、有機及び無機過酸化物類及び／又はヒドロペルオキシド類が挙げられる。
【００８８】
本明細書で使用するのに適切な有機又は無機の過酸は：モノ過硫酸塩のような過硫酸塩類；ジペルオキシドデカンジオン酸（ＤＰＤＡ）及びフタロイルアミノペルオキシカプロン酸（ＰＡＰ）のようなペルオキシ酸類；マグネシウムペルフタル酸；ペルラウリン酸；ペル安息香酸及びアルキルペル安息香酸類；及びそれらの混合物から成る群から選択される。
【００８９】
本明細書で使用するのに適切なヒドロペルオキシド類は、第３級−ブチルヒドロペルオキシド、クミルヒドロペルオキシド、２，４，４−トリメチルペンチル−２−ヒドロペルオキシド、ジ−イソプロピルベンゼン−モノヒドロペルオキシド、第３級−アミルヒドロペルオキシド及び２，５−ジメチル−ヘキサン−２，５−ジヒドロペルオキシド及びそれらの混合物から成る群から選択される。かかるヒドロペルオキシド類は、優れた漂白性能を送達する一方で、カーペット及びカーペット染料に対して特に安全であるという利点を有する。
【００９０】
過硫酸塩又はそれらの混合物は、本発明の組成物に使用される好ましい活性酸素源である。本明細書に使用するのに好ましい過硫酸塩は、モノ過硫酸三重塩（triple salt）である。市販されているモノ過硫酸塩の一例は、ペルオキシド・ヒェミー社（Peroxide Chemie GMBH）からキュロックス（Curox）（登録商標）の商品名で商品化されているモノ過硫酸カリウムである。ペルオキシド・ヒェミー社（Peroxide Chemie GMBH）から市販されている二過硫酸塩のような別の過硫酸塩は、本発明の組成物に使用できる。
【００９１】
本発明の組成物は、組成物全体の０．１重量％〜３０重量％、好ましくは０．１重量％〜２０重量％、より好ましくは１重量％〜１０重量％、最も好ましくは１重量％〜７重量％の前記漂白剤を含んでもよい。
【００９２】
（香料）
本発明の組成物は、任意成分として：ユーカリプトール、セドロール、ピノカルベオラス、セスキテルペングロブルールアルコールのような環状テルペン／セスキテルペン香料；リナロ（linalo）；テトラヒドロリナロ（tetrahydrolinalo）；ヴァードックス（シクロヘキサジイル２−テトリルブチルアセテート）；６，３−ヘキサノール；及びシトロネロール並びにこれらの混合物から成る群から選択されることが好ましい香料成分を含んでもよい。
【００９３】
本発明の組成物は、組成物全体の０．０１重量％〜１０重量％、好ましくは０．０１重量％〜５重量％、より好ましくは０．０１重量％〜１重量％、最も好ましくは０．０１重量％〜０．１重量％の前記香料成分を含んでいてもよい。
【００９４】
（界面活性剤）
本発明の組成物は、任意成分として界面活性剤又はそれらの混合物を含んでもよい。
また本発明の組成物中に界面活性剤が存在すると、茶、草のような漂白可能な染み、血のような酵素染み、バーベキューソース、スパゲティソース、ベーコン油のような油染みなどを含む異なる種類の染み及び／又は汚れに対して良好な洗浄性能を与える。更に本明細書の組成物中に界面活性剤が存在すると、適切に界面活性剤及びその濃度を選択することによって所望の粘度を有する組成物を提供できる。界面活性剤は、本発明の組成物中への前記ポリマーの導入を安定化するのに役立つ。事実、本明細書の組成物が漂白剤、好ましくは活性酸素源を含み及び／又は低いｐＨを有するような好ましい実施形態において、界面活性剤を使用すると本明細書に記載されるポリマーを安定化させることができる。特に本明細書に記載されるようなシリコーングリコールは、特定の界面活性剤によって形成されるミセルによって上記に記載される厳しい条件においても安定化され得る。
【００９５】
非イオン性、陰イオン性、陽イオン性、両性又は双極性界面活性剤を含むあらゆる種類の界面活性剤を本発明に使用してもよい。本発明の精神から逸脱することなくこのような界面活性剤の混合物を使用することもできる。
【００９６】
それ故に、本発明による組成物は組成物全体の５０重量％まで、好ましくは０．１重量％〜２０重量％、より好ましくは１重量％〜１０重量％、最も好ましくは１重量％〜５重量％の界面活性剤又はその混合物を含む。
【００９７】
本明細書で使用するのに適切な陽イオン性界面活性剤には、四級アンモニウム、ホスホニウム、イミダゾリウム、及びスルホニウム化合物の誘導体が挙げられる。本明細書で使用するのに好ましい陽イオン性界面活性剤は、第四級アンモニウム化合物であって、ここで窒素に結合する１又は２の炭化水素基は飽和で、直鎖又は分枝の、６〜３０個の炭素原子、好ましくは１０〜２５個の炭素原子、より好ましくは１２〜２０個の炭素原子のアルキル基であり、そして窒素に結合する他の炭化水素基（即ち１の炭化水素基が、前記のように長鎖の炭化水素基である場合は３の炭化水素基であり、又は２の炭化水素基が、前記のように長鎖の炭化水素基である場合は２の炭化水素基である）は、それぞれ独立して置換又は非置換、直鎖又は分枝の、１〜４個の炭素原子、好ましくは１〜３個の炭素原子のアルキル鎖であって、より好ましくはメチル基である。
【００９８】
過硫酸塩又はそれらの混合物が活性酸素源として使用される本発明の好ましい実施形態において、四級アンモニウム化合物は、好ましくは非クロライド／非ハロゲン四級アンモニウム化合物である。前記第四級アンモニウム化合物に使用される対イオンは、いかなる活性酸素源にも適合性があり、メチルスルフェート又はメチルスルホネート等から成る群から選択される。
【００９９】
本発明の組成物に使用する特に好ましいのは、ミリスチルトリメチルスルフェート、セチルトリメチルスルフェート、及び／又は、タロートリメチルスルフェートのような、トリメチル四級アンモニウム化合物である。こうしたトリメチル四級アンモニウム化合物は、ヘキスト（Hoechst）から、又はオルブライト・アンド・ウィルソン（Albright & Wilson）から、商品名エムピゲンＣＭ（EMPIGEN CM）（登録商標）として市販されている。
【０１００】
本発明の組成物に使用されるのに適切な両性界面活性剤としては、次の式Ｒ1Ｒ2Ｒ3ＮＯ（式中、Ｒ1、Ｒ2及びＲ3はそれぞれ独立して、１〜３０個の炭素原子、好ましくは６〜３０個の炭素原子、より好ましくは１０〜２０個の炭素原子、最も好ましくは８〜１８個の炭素原子を含む飽和置換又は非置換、直鎖又は分枝アルキル基である）を有するアミンオキシド類がある。本明細書で使用するのに適切なアミンオキシドは、好ましくは活性酸素源に適合性である。本明細書で使用するのに好ましいアミンオキシドは、例えばナチュラルブレンドのＣ８〜Ｃ１０のアミンオキシド、並びにヘキスト（Hoechst）から市販されているＣ１２〜Ｃ１６のアミンオキシドである。
【０１０１】
本発明に基づいて使用されるのに適切な短鎖アミンオキシドは、次の式Ｒ1Ｒ2Ｒ3ＮＯ（式中Ｒ1はＣ６〜Ｃ１０アルキル基、好ましくはＣ８〜Ｃ１０アルキル基であり、Ｒ2及びＲ3は独立して、１〜４個の炭素原子、好ましくは１〜３個の炭素原子を有する置換又は非置換、直鎖又は分枝アルキル基であり、より好ましくはメチル基である。）を有するアミンオキシドである。Ｒ1は飽和の直鎖又は分枝アルキル基であってもよい。本明細書で使用するのに適切な短鎖アミンオキシドは、好ましくはすべての活性酸素源に適合性である。本明細書で使用するのに好ましい短鎖アミンオキシドは、例えば、ヘキスト（Hoechst）社から市販されているナチュラルブレンドのＣ８〜Ｃ１０アミンオキシドである。
【０１０２】
本明細書に使用するのに適切な非イオン性界面活性剤は、当該技術分野において周知である縮合プロセスによって容易に製造可能なアルコキシル化脂肪族アルコール非イオン性界面活性剤である。事実、多種多様なアルコキシル化脂肪族アルコールについて、非常に異なるＨＬＢ値を有するものが市販されている。こうしたアルコキシル化非イオン性界面活性剤のＨＬＢ値は、基本的に脂肪族アルコールの鎖長、アルコキシル化の特徴及びアルコキシ化度に左右される。親水性の非イオン性界面活性剤は、アルコキシル化度が高く、短鎖の脂肪族アルコールを有する傾向があり、疎水性界面活性剤は、アルコキシル化度が低く、長鎖の脂肪族アルコールを有する傾向がある。非イオン性物質を含む多数の界面活性剤をそのＨＬＢ値とともに載せた界面活性剤のカタログが入手可能である。
【０１０３】
それ故に、本明細書に使用するのに好ましいアルコキシル化アルコールは、式ＲＯ（Ｅ）ｅ（Ｐ）ｐＨ（式中Ｒは、２〜２４個の炭素原子を有する炭化水素鎖であり、Ｅはエチレンオキシドであり、Ｐはプロピレンオキシドであり、それぞれ平均エトキシル化度及び平均プロポキシル化度を表すｅ及びｐは、０〜２４である）に基づく非イオン性界面活性剤である。非イオン性化合物の疎水性部分は、８〜２４個の炭素原子を有する一級又は二級、直鎖又は分枝アルコールであることができる。本発明の組成物に使用するのに好ましい非イオン性界面活性剤は、エチレンオキシドと、６〜２２個の炭素原子を有する直鎖アルキル鎖を有するアルコールとの縮合生成物であり、エトキシル化度は、１〜１５、好ましくは５〜１２である。このような適切な非イオン性界面活性剤は、例えば商品名ドバノール（Dobanol）（登録商標）としてシェルから、又は商品名ルテンゾル（Lutensol）（登録商標）としてシェルから市販されている。これらの非イオン性物質によって安定剤又は屈水性誘発物質の添加を要することなく、安定した製品を配合できることが見出されたので、それらは好ましい物質である。他の非イオン性物質を用いる場合、クメンスルホネートのような屈水性誘発物質又はブチルジグリコールエーテルのような溶媒の添加を必要とする場合がある。
【０１０４】
特に適切な陰イオン性界面活性剤は、アルキル−ジフェニル−エーテル−スルホネート類及びアルキル−カルボキシレート類である。本明細書に適切な他の陰イオン性界面活性剤は式ＲＯＳＯ3Ｍの水溶性塩又は酸であって、Ｒは好ましくはＣ10〜Ｃ24ヒドロカルビル、好ましくはＣ10〜Ｃ20アルキル成分を有するアルキル又はヒドロキシアルキルであり、更に好ましくはＣ12〜Ｃ18を有するアルキル又はヒドロキシアルキルであり、ＭはＨ又は陽イオン、例えばアルカリ金属陽イオン（例えばナトリウム、カリウム、リチウム）あるいはアンモニウム又は置換アンモニウム（例えば、メチル−、ジメチル−、トリメチルアンモニウム陽イオン、並びにテトラメチルアンモニウム陽イオン及びジメチルピペリジニウム陽イオンのような四級アンモニウム陽イオン、及びエチルアミン、ジエチルアミン、トリエチルアミン及びこれらの混合物などのアルキルアミンから派生した四級アンモニウム陽イオン）などである。
【０１０５】
洗浄目的のために有用な他の陰イオン性界面活性剤も、本明細書において使用することができる。これらには石鹸の塩（例を挙げれば、ナトリウム、カリウム、アンモニウム及びモノ−、ジ−及びトリ−エタノールアミン塩などの置換アンモニウム塩）、Ｃ9〜Ｃ20直鎖アルキルベンゼンスルホネート類、Ｃ8〜Ｃ22一級又は二級アルカンスルホネート類、Ｃ8〜Ｃ24オレフィンスルホネート類、例えば英国特許第１，０８２，１７９号に記載されているように、アルカリ土類金属クエン酸塩が熱分解した製品をスルホン化することによって得られるスルホン化ポリカルボン酸類、Ｃ8〜Ｃ24アルキルポリグリコールエーテルスルフェート類（最高１０モルのエチレンオキシドを含む）；Ｃ14〜16メチルエステルスルホネート類などのアルキルエステルスルホネート類、アシルグリセロールスルホネート類、脂肪族オレイルグリセロールスルフェート類、アルキルフェノールエチレンオキシドエーテルスルフェート類、パラフィンスルホネート類、アルキルホスフェート類、アシルイセチオネート類などのイセチオネート類、Ｎ−アシルタウレート類、アルキルスクシナメート類やスルホスクシネート類、スルホスクシネートのモノエステル類（特に飽和及び不飽和Ｃ12〜Ｃ18モノエステル類）、スルホスクシネートのジエステル類（特に飽和及び不飽和Ｃ6〜Ｃ14ジエステル）、アシルサルコシネート類、アルキルポリグルコシドのスルフェート類（下に記載する非イオン性の硫酸化されていない化合物）などのアルキル多糖類のスルフェート類、分枝鎖一級アルキルスルフェート類、化学式ＲＯ（ＣＨ2ＣＨ2０）kＣＨ2ＣＯＯ−Ｍ+をもち、ＲがＣ8〜Ｃ22アルキルであり、ｋが０〜１０の整数であり、Ｍが可溶性の塩形成陽イオンであるもののような、アルキルポリエトキシカルボキシレート類が含まれる。ロジン、水素添加ロジンなどの樹脂酸及び水素添加樹脂酸も適切であり、樹脂酸及び水素添加樹脂酸はトール油中に存在するか又はトール油から得られる。更なる例は「界面活性剤及び洗剤（Surface Active Agents and Detergents）」（シュワルツ（Schwartz）、ペリー（Perry）及びバーチ（Berch）著、Ｉ及びＩＩ巻）に示されている。そのような様々な界面活性剤はまた米国特許第３，９２９，６７８号（ラフリン（Laughlin）ら、１９７５年１２月３０日発行）の２３段５８行〜２９段２３行に一般的に開示されている。
【０１０６】
本明細書で組成物に使用するのに好ましい陰イオン性界面活性剤はアルキルベンゼンスルホネート類、アルキルスルフェート類、アルキルアルコキシル化スルフェート類、及びこれらの混合物である。
【０１０７】
（増粘化システム）
本明細書の組成物は、極めて好ましい任意成分として増粘剤又は増粘化システムを含んでいてもよい。
【０１０８】
本明細書の適切な増粘剤は、有機増粘剤及び無機増粘剤及びこれらの混合物、好ましくは有機増粘剤、より好ましくは多糖類、最も好ましくはキサンタンガムから成る群から選択される。
【０１０９】
適切な増粘化システムは、陽イオン性／陰イオン性界面活性剤システム、自己増粘システムから成る群から選択される。
好ましくは本明細書の組成物は、増粘剤としてキサンタンガムを含む。
【０１１０】
本発明の組成物は、組成物全体の０．０５重量％〜１０重量％、好ましくは０．０５重量％〜５重量％、より好ましくは０．０５重量％〜３重量％の増粘剤又は増粘化システムを含み得る。
【０１１１】
想定される最終用途によって、本発明の組成物は、染料、溶媒、光学的光沢剤、ビルダー、キレート剤、顔料、溶媒、緩衝剤、ラジカルスカベンジャー、ポリマー、安定剤などを更に含む様々な他の成分を含んでいてもよい。
【実施例】
【０１１２】
以下の実施例により本発明を更に説明する。組成物は、列挙される成分を列挙される比（別途明記されない限り重量％）で組み合わせることにより作製される。更に、組成物は、水と微量成分を１００％まで含む。
【０１１３】
以下の実施例（組成物Ｉ〜ＶＩ）は本発明の組成物を例示することを意図するが、必ずしも、本発明の範囲を限定又はその他画定するのに用いられるものではない。更に、次の実施例（ＶＩＩ〜ＩＸ）は、比較例を含む。
【０１１４】
【表２】
2004530007.tif 000004
【０１１５】
ＩＩ）
【０１１６】
【表３】
2004530007.tif 000005
【０１１７】
ＩＩＩ）
【０１１８】
【表４】
2004530007.tif 000006
【０１１９】
ＩＶ）
【０１２０】
【表５】
2004530007.tif 000007
【０１２１】
Ｖ）
【０１２２】
【表６】
2004530007.tif 000008
【０１２３】
ＶＩ）
【０１２４】
【表７】
2004530007.tif 000009
【０１２５】
ＶＩＩ）
【０１２６】
【表８】
2004530007.tif 000010
【０１２７】
ＶＩＩＩ）
【０１２８】
【表９】
2004530007.tif 000011
【０１２９】
ＩＸ）
【０１３０】
【表１０】
2004530007.tif 000012
【国際公開パンフレット】
2004530007.tif 000014
2004530007.tif 000015
2004530007.tif 000016
2004530007.tif 000017
2004530007.tif 000018
2004530007.tif 000019
2004530007.tif 000020
2004530007.tif 000021
2004530007.tif 000022
2004530007.tif 000023
2004530007.tif 000024
2004530007.tif 000025
2004530007.tif 000026
2004530007.tif 000027
2004530007.tif 000028
2004530007.tif 000029
2004530007.tif 000030
2004530007.tif 000031
2004530007.tif 000032
2004530007.tif 000033
2004530007.tif 000034
2004530007.tif 000035
2004530007.tif 000036
2004530007.tif 000037
2004530007.tif 000038
2004530007.tif 000039
2004530007.tif 000040
2004530007.tif 000041
2004530007.tif 000042
2004530007.tif 000043
【国際調査報告】
2004530007.tif 000044
2004530007.tif 000045
2004530007.tif 000046